(57)【要約】  本発明は、成形ビード（３）の一部の上に、特に中間取付装置を介してグレージング板（４）の周囲に取り付けられる成形ビードの一部の上にトリム（２’）などのインサートを取り付けるための方法に関し、前記中間取付装置は、前記成形ビード（３）との係合を可能にすることが意図される少なくとも１つの上流の係合部分と、前記インサートとの係合を可能にすることが意図される下流の係合部分とを有する少なくとも１つのクリップ（５）を備え、前記方法は、前記成形ビード（３）の上に前記中間取付装置を取り付けるステップを含む。中間取付装置は、複数の変形可能な接続タブ（１０）を有する上流の係合部分を備え、前記タブは、取付ステップ中に前記成形ビード（３）の材料に貫入するように、２つの反対の方向に前記成形ビード（３）の材料の方向に前記タブ（１０）の端部に力を加えることによって変形される。
2012507431.tif 000002
【特許請求の範囲】
【請求項１】
成形ストリップ（３）の一部の上に、特にグレージング板（４）の周囲に締結される成形ストリップの一部の上にトリム（２’）などのアタッチメント（２）を取り付ける方法であり、この取付作業が、中間締結装置（１）によって行われ、この中間締結装置が、前記成形ストリップ（３）と協働することが意図される少なくとも１つの上流の協働する部品と、前記アタッチメント（２）と協働することが意図される下流の協働する部品とを有する少なくとも１つのクリップ（５）を備え、前記成形ストリップ（３）の上に前記中間締結装置（１）を締結するステップを含む取付方法であって、前記中間締結装置が、ベース（１１）によって接合される複数の係止タブ（１０）を有する上流の協働する部品を含み、各タブの端部が、変形可能であり、タブの前記端部が、締結ステップ中に前記成形ストリップ（３）の材料に貫入するように、２つの反対の方向に前記成形ストリップ（３）の材料に向かって前記タブ（１０）の端部に力を加えることによって変形されることを特徴とする、取付方法。
【請求項２】
前記タブの端部が、少なくとも０．２ｍｍの深さｐを超えて前記成形ストリップ（３）の材料の中に貫入することを特徴とする、請求項１に記載の取付方法。
【請求項３】
前記タブが、手で力を加えることによって、または工具を使って貫入することを特徴とする、請求項１または２に記載の取付方法。
【請求項４】
前記成形ストリップ（３）が、前記クリップのベース（１１）よりも小さな幅を有する突出部（３０）を有し、前記タブ（１０）の端部が前記突出部（３０）の材料に貫入する前に、前記クリップが、前記突出部を跨いで配置されることを特徴とする、請求項１から３のいずれか一項に記載の取付方法。
【請求項５】
前記成形ストリップ（３）が、前記クリップの高さに少なくとも等しく、好ましくはそれよりも高い高さを有する突出部（３０）を有し、前記タブ（１０）の端部が前記突出部（３０）の材料に貫入する前に、前記クリップが、前記突出部を跨いで配置されることを特徴とする、請求項１から４のいずれか一項に記載の取付方法。
【請求項６】
成形ストリップ（３）の一部の上に、特にグレージング板（４）の周囲に締結される成形ストリップの一部の上にトリム（２’）などのアタッチメント（２）を取り付けるための中間締結装置（１）であり、前記成形ストリップ（３）と協働することが意図される少なくとも上流の協働する部品と、前記アタッチメント（２）と協働することが意図される下流の協働する部品とを有する少なくとも１つのクリップ（５）を備える中間締結装置であって、前記上流の協働する部品が、ベース（１１）によって接合される複数の係止タブ（１０）を有し、各タブの端部が、変形可能であり、タブの前記端部が、前記成形ストリップ（３）の上にクリップ（５）を締結するステップ中に前記成形ストリップ（３）の材料に貫入するために、２つの反対の方向に前記成形ストリップ（３）の材料に向かって前記タブ（１０）の端部に力を加えることによって変形されることを特徴とする、中間締結装置（１）。
【請求項７】
実質的に平坦なベース（１１）を有し、前記タブ（１０）が、前記ベース（１１）に実質的に直角に方向付けられ、前記タブが、前記ベース（１１）の長手方向対称の中央面に対して正反対に対向する対になって配置されることを特徴とする、請求項６に記載の中間締結装置（１）。
【請求項８】
前記タブ（１０）がそれぞれが、好ましくは前記ベース（１１）の垂直面に対して３０°と７０°との間の角度で、前記ベース（１１）から遠ざかるように曲げられる少なくとも１つのフック形状部（１２）を含むことを特徴とする、請求項７に記載の中間締結装置（１）。
【請求項９】
前記タブ（１０）が、複数の尖頭状の歯（１３）をもって成形ストリップ（３）の材料の中に貫入するそれらの端部で終わることを特徴とする、請求項６から８のいずれか一項に記載の中間締結装置（１）。
【請求項１０】
成形ストリップ（３）の一部の上に、特にグレージング板（４）の周囲に締結される成形ストリップの一部の上にトリム（２’）などのアタッチメント（２）を取り付けるための請求項６から９のいずれか一項に記載の少なくとも１つの中間締結装置（１）を含むグレージング板（４）であり、前記装置が、前記成形ストリップ（３）と協働することが意図される少なくとも上流の協働する部品と、前記アタッチメント（２）と協働することが意図される下流の協働する部品とを有する少なくとも１つのクリップ（５）を備えるグレージング板（４）であって、前記上流の協働する部品が、ベース（１１）によって接合される複数の係止タブ（１０）を有し、各タブの端部が、変形可能であり、タブの前記端部が、前記成形ストリップ（３）の上にクリップ（５）を締結するステップ中に前記成形ストリップ（３）の材料に貫入するために、２つの反対の方向に前記成形ストリップ（３）の材料に向かって前記タブ（１０）の端部に力を加えることによって変形されることを特徴とする、グレージング板（４）。
【請求項１１】
前記成形ストリップ（３）の上に前記中間締結装置（１）を締結するステップを含む、成形ストリップ（３）の上に、特にグレージング板（４）の周囲に締結される成形ストリップの一部の上にトリム（２’）などのアタッチメント（２）を取り付けるための請求項６から９のいずれか一項に記載の中間締結装置（１）の使用であって、前記中間締結装置（１）が、ベース（１１）によって接合される複数の係止タブを有する上流の締結部品を有し、各タブの端部が、変形可能であり、タブの前記端部が、締結ステップ中に前記成形ストリップの材料に貫入するために、２つの反対の方向に前記成形ストリップ（３）の材料に向かって前記タブ（１０）の端部に力を加えることによって変形されることを特徴とする、中間締結装置（１）の使用。
【発明の詳細な説明】
【技術分野】
【０００１】
本発明は、グレージング板（ｇｒａｚｉｎｇ  ｐａｎｅ）上に成形（ｐｒｏｆｉｌｅｄ）ストリップを製造する分野に関する。
【背景技術】
【０００２】
本発明は、より詳細には、成形ストリップの一部の上に、特にグレージング板の周囲に締結される成形ストリップの一部の上に密封トリムなどのアタッチメントを取り付けるための中間締結装置、およびその取付方法に関するものであり、この取付作業は、前記成形ストリップと協働することが意図される少なくとも上流の協働する部品と、前記アタッチメントと協働することが意図される下流の協働する部品とを有する少なくとも１つのクリップを備える中間締結装置によって行われる。
【０００３】
国際公開第２００５／０３３５２６号による先行技術は、成形ストリップの単純な第１の溝の中に挿入されることが意図される単純な第１の突出部、および可撓性クリップの変形によって成形ストリップの同じくより複雑な溝の中に挿入されることが意図されるフックの形のより複雑な第２の突出部を有する可撓性クリップを用いた成形ストリップ用のトリムクリップ締結システムを教示している。したがって、クリップは、成形ストリップの上に引っ掛けられる。また、成形ストリップのピンチ効果が、成形ストリップの２つの溝の間よりもクリップの２つの突出部の間に僅かにより短い距離を有することによって得られる。
【０００４】
トリムを締結するために、まず、ストリップがクリップの突出部の中に導かれ、次いで、クリップは、トリムが成形ストリップの突出部を乗り越えることができるようにさらに変形される。
【０００５】
ところで、この変形は、クリップを成形ストリップの上に引っ掛けることができる変形とはまさしく反対であることが判明する。
【０００６】
いったん取付作業が完了すると、可撓性クリップは、したがって成形ストリップの上にこれを引っ掛けておくと同時にクリップの上にトリムを掴んでおく対向する引張り力が恒久的に加わる。
【０００７】
特に凹凸路での車両の運転中に成形ストリップが受ける振動により、恒久的に張力を加えられる可撓性クリップが外れることがあり、その結果としてトリムが失われるに至ることがあるシール（成形ストリップ）の変形が生じるので、このシステムは満足なものではない。
【０００８】
また、国際公開第２００７／００３８２３号により、上述のタイプの中間締結装置も知られている。
【０００９】
その文献によれば、上流の協働する部品は、少なくとも突出する雄要素、または中空の雌要素を含み、この要素は、成形ストリップにそれぞれ設けられる対応する中空の雌要素、または対応する突出する雄要素と協働し、前記中空の雌要素は、前記突出する雄要素の外部寸法よりも少なくとも部分的により小さい内部寸法を有する。
【００１０】
したがって、この協働は、要素の表面の少なくとも１つの部品の間で摺擦効果を有する「ほぞ穴およびほぞ（ｍｏｒｔｉｓｅ−ａｎｄ−ｔｅｎｏｎ）」タイプから成る。
【００１１】
先行のものより優れたこの装置の重要な利点は、締結システムの信頼性にあり、これにより、特に振動の極端な条件下を含む、トリムの信頼性のある保持が可能である。
【００１２】
しかしながら、このシステムは、成形ストリップの設計を複雑にし、特に雄または雌部位を有する特別な成形ストリップを設計することが不可避となる。
【００１３】
特に、このシステムは、上流の協働する部品が成形ストリップに設けられる対応する部品と正確に協働するために、クリップを非常に正確に配置することが必要になる。
【００１４】
また、米国特許第３８６９７６０号明細書による先行技術は、可撓性タブを有するクリップを教示しており、これらのタブは、引き抜き力がクリップに加えられるとタブの端部が貫入する突出部を通過するように間隔をあけられている。
【００１５】
さらに、国際公開第２００８／０８４０７６号による先行技術は、成形ストリップ用のトリムクリップ締結システムを教示しており、この成形ストリップは、クリップの保持要素を収容するために設けられる部位を有し、これらの設けられた部位は、クリップの矢印形状の保持要素を保持するための穴の形をとっている。
【先行技術文献】
【特許文献】
【００１６】
【特許文献１】国際公開第２００５／０３３５２６号
【特許文献２】国際公開第２００７／００３８２３号
【特許文献３】米国特許第３８６９７６０明細書
【特許文献４】国際公開第２００８／０８４０７６号
【発明の概要】
【発明が解決しようとする課題】
【００１７】
クリップと成形ストリップとの間の協働があるためには、クリップの保持要素が成形ストリップの受入手段の中に正確に貫入するために、クリップを成形ストリップに対して正確に配置することが必要である。さらに、封止金型は、それを離型できるようにするために、各クリップの箇所に可動部品を有さなければならない。
【００１８】
本発明の目的は、成形ストリップの上にクリップをクリップ締結する場合に、クリップを成形ストリップに対して極めて正確に配置する必要のない成形ストリップの上にクリップを締結するためのシステムを提供することによって、先行技術の欠点を軽減することである。
【課題を解決するための手段】
【００１９】
成形ストリップの上にクリップをクリップ締結することは、自動化され、すなわちロボットによって行われ得る。
【００２０】
しかしながら、クリップ締結は、修理工場でトリムを取り替えることなくグレージング板を取り替えるときにトリムを新しいグレージング板に再配置できるように、または修理工場でグレージング板を取り替えることなくトリムを取り替えるように、引き続き手で行われ得ることが必要である。
【００２１】
したがって、本発明は、最も広いこの受け入れのために、請求項１により成形ストリップの一部の上に、特にグレージング板の周囲に締結される成形ストリップの一部の上にトリムなどのアタッチメントを取り付ける方法に関する。この取付作業は、中間締結装置によって行われ、この中間締結装置は、前記成形ストリップと協働することが意図される少なくとも１つの上流の協働する部品と、前記アタッチメントと協働することが意図される下流の協働する部品とを有する少なくとも１つのクリップを備え、前記方法は、前記成形ストリップの上に前記中間締結装置を締結するステップを含む。前記中間締結装置は、ベースによって接合される複数の係止タブを有する上流の協働する部品を含み、各タブの遠位端は、変形可能であり、タブの前記遠位端は、締結ステップ中に前記成形ストリップの材料に貫入するように、２つの反対の方向に前記成形ストリップの材料に向かって前記タブの端部に力を加えることによって変形される。
【００２２】
本発明の１つの重要な特徴は、成形ストリップのキャビティと協働する上流の締結部品を備えていることから成るが、このキャビティを設けることから成るのではなく、すなわち成形ストリップの材料にスロットまたは穴を予め製作することなく、これは、成形ストリップの上にクリップをクリップ締結する作業中にキャビティをそれ自体掘りあける、上流の締結部品である。したがって、成形ストリップを形成するための金型は簡単であり、いかなる可動部品もなく、いかなる関連する機構もない。
【００２３】
本発明の１つの主要な利点は、中間締結装置を成形ストリップに対して非常に正確に配置することが不必要であるということにある。もちろん、貫入は、成形ストリップの選択された部位に起こり、下で説明されるようにこれは、設けられることができ、たとえば突出部を有することができるが、この部位は、中間締結装置のサイズに比べて比較的大きく、成形ストリップ全体に沿って存在することさえできる。したがって、この場合には、中間締結装置が成形ストリップの長さに沿って非常に正確に配置されることは、不必要である。
【００２４】
さらに、必要であれば、クリップを取り除き、ストリップが損傷されている場合にはストリップ上のその以前の位置の近くにこれを配置すること、または、これもまた損傷されている場合にはクリップ取り除き、以前のもの位置の近くに新しいクリップを配置することができる。
【００２５】
係止タブの端部は、少なくとも０．５ｍｍ、より好ましくは少なくとも１ｍｍ、またはさらに少なくとも２ｍｍの深さｐを超えて成形ストリップの材料の中に貫入することが好ましい。
【００２６】
したがって、係止タブの遠位端（すなわち、タブがベースに接合する場所と反対の側の端部）だけが、変形力を加えることによって変形される。
【００２７】
本発明の好ましい変形では、前記貫入は、手でまたは工具を使って２つの反対の方向に前記成形ストリップの材料に向かって、前記タブに力を加えることによって起こるが、成形ストリップに締結装置を締結する相補形の（ネジのような）締結手段を用いることによってではない。
【００２８】
前記クリップは、実質的に平坦なベースを有し、前記係止タブは、少なくともこれらが前記ベースに実質的に直角な、前記ベースに接合される場所に方向付けられることが好ましい。
【００２９】
前記成形ストリップは、前記クリップのベースよりも小さな幅を有する突出部を有し、前記係止タブは、前記突出部の材料に貫入することが好ましい。
【００３０】
さらに、前記成形ストリップは、前記クリップの高さに少なくとも等しく、好ましくはそれよりも高い高さを有する突出部を有することが好ましく、前記タブは、前記突出部の材料に貫入する。
【００３１】
この突出部は、成形ストリップの全長を超えて存在することができ、または少なくとも１つまたは複数の部位において、それぞれが、中間締結装置の長さの少なくとも１．５倍の長さを有する。
【００３２】
本発明によれば、クリップは、前記タブの端部が前記突出部の材料に貫入する前に突出部を跨いで配置される。
【００３３】
また、本発明は、請求項６に記載のように、成形ストリップの一部の上に、特にグレージング板の周囲に締結される成形ストリップの一部の上にトリムなどのアタッチメントを取り付けるための中間締結装置、すなわち本発明による方法を実施するための中間締結装置に関する。この装置は、前記成形ストリップと協働することが意図される少なくとも上流の協働する部品と、前記アタッチメントと協働することが意図される下流の協働する部品とを有する少なくとも１つのクリップを備える。前記上流の協働する部品は、ベースによって接合される複数の係止タブを有し、各タブの端部は、変形可能であり、タブの前記遠位端は、前記成形ストリップの上にクリップを締結するステップ中に前記成形ストリップの材料に貫入するために、２つの反対の方向に前記成形ストリップの材料に向かって前記タブの端部に力を加えることによって変形される。
【００３４】
さらに、この装置は、実質的に平坦なベースを有し、前記タブは、前記ベースに実質的に直角に、あるいは、いかなる場合にもベースの垂直面に対して４５°以下の角度αで、またはさらに２０°以下の角度αで、またはさらに１５°以下の角度αで方向付けられることが好ましい。
【００３５】
さらに、前記タブは、前記ベースの長手方向対称の中央面に対して正反対に対向する対になって配置されることが好ましい。
【００３６】
そのうえ、前記タブはそれぞれが、好ましくは前記ベースの垂直面に対して３０°と７０°との間の角度で、前記ベースから遠ざかるように曲げられる少なくとも１つのフック形状部を有することが好ましい。
【００３７】
前記タブは、複数の尖頭状の歯、特に三角形歯、好ましくは３本またはさらに４本のこの種の歯をもって成形ストリップの材料の中に貫入するそれらの端部で終わることが好ましい。
【００３８】
また、本発明は、請求項１０に記載するように、成形ストリップの一部の上に、特にグレージング板の周囲に締結される成形ストリップの一部の上にトリムなどのアタッチメントを取り付けるための、本発明による少なくとも１つの中間締結装置を有するグレージング板に関する。
【００３９】
また、本発明は、請求項１１による、成形ストリップの一部の上に、特にグレージング板の周囲に締結される成形ストリップの一部の上にトリムなどのアタッチメントを取り付けるための本発明による中間締結装置についての、特に車両組立工場または車両修理工場での使用法に関する。
【００４０】
従属請求項は、本発明の有利な変形を与えている。
【００４１】
有利なことに、本発明によるシステムにより、複雑な形状から成り、かつ設計し製造するのが困難な（特に、成形による）この成形ストリップなしに、成形ストリップの上に中間部品を締結するための少なくとも１つのクリップ、好ましくはいくつかのクリップを締結することができる。
【００４２】
本発明は、非限定的な例示的な実施形態についての次の詳細な説明を読み、本明細書に添付された図を検討するとよりよく理解されるであろう。
【図面の簡単な説明】
【００４３】
【図１】本発明による中間締結装置を用いて締結されたトリムを有するグレージング板が設けられる車両の後端部の側面図である。
【図２】本発明による中間締結装置のクリップの斜視図である。
【図３】図２のクリップの正面図である。
【図４】本発明による中間締結装置のクリップの側面図である。
【図５】図４のクリップの上面図である。
【図６】図４のＡＡによる断面図である。
【図７】図４のＢＢによる断面図である。
【図８】成形ストリップの貫入前の成形ストリップに配置された図２のクリップの配置についての斜視図である。
【図９】成形ストリップの貫入前の成形ストリップに配置された図２のクリップの配置についての正面図である。
【図１０】成形ストリップの上へのクリップのクリップ締結の作業中の、図２および図３のクリップの係止タブにおける成形ストリップの断面図である。
【図１１】トリムの配置中の、図２のクリップの係止タブにおける成形ストリップの断面図である。
【図１２】トリムがクリップ締結された後の、図２のクリップの係止タブの成形ストリップの断面図である。
【発明を実施するための形態】
【００４４】
本発明は、成形ストリップ３の一部の上に、特にグレージング板４、特に車両のグレージング板の周囲に締結される成形ストリップの一部の上にトリム２’などのアタッチメント２を取り付けるための中間締結装置１に関する。
【００４５】
図１は、可撓性ポリマー材料で作られる成形ストリップ３がその周囲に固定されるグレージング板４が、設けられる自動車の後端部を示している。
【００４６】
成形ストリップ３の構成ポリマー材料は、熱可塑性物質（ＰＶＣ、ＴＰＥ、．．．）、ポリウレタンまたはＥＰＤＭタイプの合成ゴム、または任意の他の適切な材料であることができる。
【００４７】
製造プロセスが、１つの成形要素はグレージング板の内面を受け入れ、１つの成形要素はグレージング板の外面を受け入れ、これらの２つの成形要素は成形ステップ中に互いに完全に閉じられる２つの成形要素の間で、成形装置によって成形ストリップ３を成形するステップを含むので、成形ストリップ３は、いわゆる「カプセル化」製造プロセスを使用することによって製造された。
【００４８】
図１では、成形ストリップ３は、グレージング板４の全周にわたって配置されているが、この成形ストリップは、グレージング板の周囲の一部にわたって、またはグレージング板の任意の部分わたってだけ配置されることもできる。
【００４９】
窓の美的外観を改善するために、車両の外側から見える成形ストリップ３の一部分は、ここにグレージング板の底部にだけ基礎が形成されるトリム２’によって遮蔽されるが、また、グレージング板４の全周にわたって、かつ／またはグレージング板の任意の部分にわたって配置されることもできる。
【００５０】
グレージング板４は、モノリシックグレイジングであること、すなわち材料の単一のシートから成ることができ、または複合グレイジングであること、すなわち積層グレイジングの場合に接着性材料の少なくとも１つの層が、または複層グレイジング（二重グレイジング、三重グレイジング等）の場合に少なくとも１つの中間空間がその間に挿入される材料のいくつかのシートから成ることができる。材料のシートまたは複数のシートは、鉱物、特にガラス、または有機体の、特にプラスチックであることができる。
【００５１】
車両の窓の場合には、グレージング板は、通常、ここでは図示していない装飾的ストリップをその周囲に少なくとも部分的に有する。この装飾的ストリップは、通常、グレイジングの内面に、または複合グレイジングの場合にはグレイジングの中間面にエナメルを付着させることによって形成されるが、これはまた、使用される材料のシート、特に有機材料のシートの部分的なおよび／または周囲の着色から生じることもできる。
【００５２】
トリム２’を締結するための本発明による中間装置１は、たとえば図２および図３に示されるもののような少なくとも１つのクリップ５を備え、これは、成形ストリップ３よりも、好ましくは前記トリムの長さに応じてトリム２’に沿って分布されるいくつかのクリップ５よりもより剛性が高い。
【００５３】
各クリップ５は、一方ではクリップと前記成形ストリップ３との間で協働することが意図される少なくとも上流の協働する部品と、他方ではクリップと前記トリム２’との間で協働することが意図される下流の協働する部品とを有する。
【００５４】
（ここに図示されていない）本発明の１つのバージョンでは、クリップ（または複数のクリップ）は、アタッチメント（トリム）と一体として作られる。したがって、このバージョンでは、クリップと前記トリムとの間の協働は、単一のアタッチメントの構成材料を介して起こり、トリムは、クリップ（または複数のクリップ）に協働する。
【００５５】
本発明のこのバージョンでは、この単一のアタッチメントは、金属または金属合金で作られることができ、あるいはプラスチックで作られることができる。単一のアタッチメントがプラスチックで作られる場合、これは、成形によって製造されることができ、金属の外観を有する塗料を使って、グレイジングが取り付けられた後にその可視部において被覆され得る。
【００５６】
ここで示した本発明のバージョンのすべてにおいて、一方ではトリム２’、および他方ではクリップ（または複数のクリップ）５は、トリム２’がグレージング板４の下縁に対して予め締結される（たとえば、カプセル化によって）成形ストリップに対してまたはその外周のすべてまたは一部にわたって取り付けられる瞬間だけ一緒に組み立てられる、異なる部品を構成する。
【００５７】
これらのバージョンのすべてにおいて、クリップの上流の協働する部品は、トリム２’が下流の協働する部品のおかげでクリップに締結される前に成形ストリップ３に締結される。
【００５８】
クリップは、成形ストリップの剛性よりも大きな剛性を有する材料で作られるように選択される。したがって、クリップは、金属、または金属合金で作られることができ、さもなければこれは、プラスチックで作られることができる。これは、その長さに沿って長手方向の対称面Ｐを有する。
【００５９】
本発明によれば、クリップ５の上流の協働する部品は、複数の変形可能な係止タブ１０を有し、前記タブは、前記成形ストリップ３の上にクリップ５を締結するステップ中に前記成形ストリップ３の材料に（かつ、したがってまた成形ストリップの中に部分的に）貫入するように変改可能である。
【００６０】
本発明によるクリップ５は、タブ１０に接合する実質的に平坦なベース１１を有し、前記タブ１０は、図では下方に前記ベース１１に実質的に直角に、あるいは、いかなる場合にもベースの垂直面に対して４５°以下の角度で方向付けられる。
【００６１】
ここに、面Ｐに対して正反対に対向する対になって配置される４つのタブ１０がある。
【００６２】
各タブ１０は、ベース１１に向かって曲げられないがこれから遠ざかっているフック形状部１２において終わる。各タブの遠位端を構成するのは、このフック形状部１２であり、これは、締結ステップ中に前記成形ストリップ３の材料に貫入するために、２つの反対の方向に前記成形ストリップ３の材料に向かって変形力を加えることによって変形される。
【００６３】
各フック形状部１２は、図４で見ることができるように、複数の尖頭状の歯１３、フックの中央のところの２つの三角形ソリッド歯、およびフックの側方端部のところの２つの三角形半歯体によってその端部で終わる。
【００６４】
クリップ５の下流の協働する部品は、トリム２’の内面に設けられる弾性の保持手段用の止め子をそれらの端部１５で形成する複数のフィン１４を有する。
【００６５】
図４から図７に示される実施形態では、クリップ５は、約３０ｍｍの長さＬ５、約１０ｍｍの全幅ｇ５、および約５ｍｍの全体高さｈ５を有する。
【００６６】
タブ１０はそれぞれが、約１０ｍｍの長さＬ１０を有し、フィン１４はそれぞれが、約５ｍｍの長さＬ１４を有する。
【００６７】
ベース１１は、約４．５ｍｍの幅ｇ１１を有し、面Ｐに対して対向する歯１３の端部の間の距離ｇ１３は、約５．５ｍｍである。
【００６８】
図６で見ることができるように、タブ１０は、これらが長手方向の対称面に対して角度αによってベース１１に接合する箇所において方向付けられ、この角度αはここに、ベース１１の垂直面に対して約１５°である。
【００６９】
さらに、フック１２は、これらがこれらのタブ１０に対して角度βによってこれらのタブ１０に接合する箇所において方向付けられ、この角度βはここに、約３５°である。
【００７０】
したがって、フック形状部１２は、変形前に、長手方向の対称面に対して角度α＋βによって、これらがこれらのタブ１０に接合する箇所において方向付けられ、この角度α＋βはここに、ベース１１の垂直面に対して約５０°である。
【００７１】
タブ１０の遠位端は、変形を加える前に曲げられているので、加えられる変形は、これらを伸ばすことにある。
【００７２】
変形後には、角度βはゼロである。
【００７３】
この変形を容易にするために、各タブ１０に少なくとも１つのスリット１６を設けることが好ましい。
【００７４】
クリップはその形状を改変することなく突出部を跨いで配置され得ることが重要である。タブおよびなおさらこれらの遠位端は、クリップのこの跨る配置を妨げてはならず、タブの端部は、クリップのこの跨る配置の後にだけ変形される。
【００７５】
図７で見ることができるように、また、クリップ５は、横断対称面、すなわちＢＢに沿った面を有し、これは、面Ｐに直角である。
【００７６】
図８から図１２では、成形ストリップ３は、横断面、すなわち図１に示される一点鎖線に沿った断面で示されている。
【００７７】
この成形ストリップ３は、これらの図には示されていないグレージング板４を受け入れるために、横断面にＵ字形状のキャビティ３１を有する。
【００７８】
また、成形ストリップ３は、車両の本体に連結するためのリップ３２も有する。
【００７９】
また、成形ストリップ３は、キャビティ３１とリップ３２との間に配置される突出部３０も有する。
【００８０】
突出部３０は、前記クリップのベース１１の幅１１１よりも小さい（横断方向に沿って測定された）幅、および前記クリップの高さｈ５に少なくとも等しく、好ましくはそれよりも５％から１０％まで高い高さを有する。
【００８１】
ここで示したバージョンでは、突出部の側壁は、垂直ではなく、ベース１１に対してタブ１０と同じ傾斜角を有する。
【００８２】
成形ストリップ３の一部の上にトリム２’（アタッチメント）を取り付けるために、図８および図９に示されるように、まず、突出部３０を跨いで中間装置のクリップ５を配置することが必要である。この位置で、クリップ５は、突出部３０の上壁および側壁を実質的に覆う。ベース１１は、突出部の上部に載っており、タブ１０は、突出部の側壁の傾斜に従う。しかしながら、この位置では、タブ１０のフック１２の歯１３は、まだ突出部３０の材料に貫入していない。
【００８３】
次に、少なくとも０．５ｍｍ、または少なくとも１ｍｍ、および好ましくは少なくとも２ｍｍ（ここに、深さｐは、２．２ｍｍである）の深さｐにわたって（ここでは、より簡単にするために１つの側だけについて示されている）、フック１２の歯１３を突出部３０の材料の中に貫入させるように、図１０の２つの二重矢印によって示される力が、突出部３０に向かってタブ１０に対して加えられる。
【００８４】
この深さｐは、タブ１０に対してフック１２の上向きになった部分の幅に実質的に対応し、すなわち、フック１２は、タブの端部においてフックの開始を決定する角度点が突出部の側壁と接触するまで、突出部３０の材料の中に押圧される。成形ストリップ３の材料がタブの材料よりも一層可撓性のあることを仮定すれば、互いに向かい合うタブ１０を突出部３０が僅かに圧縮されるように接触させるように力を加えることがまさに可能であり、これは、タブが突出部に正確に貫入したことを目で確認するための手段を提供している。
【００８５】
互いに向かい合う２つのタブに変形は、突出部３０を把持するジョーのようなものとして働く。
【００８６】
フックを突出部の中に貫入させるために、タブに加えられる変形は、塑性変形であることに留意することが重要であり、いったん貫入力がもはや加えられないと、フックは、突出部３０の然るべき所にとどまる。貫入（伸び）力の方向とは反対の、かつ少なくとも等しい強さの除去（曲げ）力だけによって、タブ１０が反対方向に変形できるようになり、（たとえば、グレイジングをリサイクリングするために）クリップを除去できるようになり得る。
【００８７】
また、歯の貫入の箇所において突出部を通して横断面を確かめることによって、クリップが除去されるときに突出部３０の表面に対して深さｐを測定することも可能である。
【００８８】
貫入力は、たとえば親指と人差し指との間でつままれる互いに向かい合う２つのタブ１０を利用することによって、手で加えられ得る。
【００８９】
また、貫入力は、たとえばプライヤの２つのアームの間でつままれる互いに向かい合う２つのタブ１０を利用することによって、プライヤを用いて加えられ得る。
【００９０】
この第２のステップ中、フィン１４は固定されたままである。プライヤが使用される場合、プライヤのアームがフィン１４を変形しないことが重要である。
【００９１】
図１１に示される第３のおよび最終ステップにおいて、トリム２’が、クリップ５に配置され、二重矢印で示されるように、前記側壁に実質的に直角な突出部３０の上壁に向かってクリップ締結力を加えることによって前記トリムの上にしっかり掴まれる。
【００９２】
いったんグレージング板がベイの中に取り付けられ、したがってクリップに向かって向きを変えられると目に見えないトリムの内面２０には、その側方端部のところで、トリムの中央に向かって（したがって、突出部３０に向かって）後方へ方向付けられる２つの爪２１、２２が設けられる。
【００９３】
これらの爪は、トリムの全長にわたって、または、トリムの構成材料を節約するために、たとえばこの長さに沿って等間隔でこの長さの一部だけにわたって設けられる。
【００９４】
キャビティ３１に最も近い爪２１は、９０°よりも僅かに小さな角度（約８５°）で方向付けられる単一の屈曲部を有するが、リップ３２に最も近い爪２２は、まず第１に４５°よりも僅かに小さな角度（約４０°）で、第２番には先行する部分に対して約７０°の角度で方向付けられる二重の屈曲部を有する。
【００９５】
２つの爪の自由端部は、鋭角ではなくて、丸みのある角度を有する。
【００９６】
これらの爪は、フィン１４よりも一層可撓性があるように設計される。トリムをクリップ締結すると、このようにこれらの爪は、フィン１４の端部１５を通過させるように弾性的に変形する。
【００９７】
したがって、爪は、スプリングのように作用し、反力を恒久的に働かせ、それによって、車両が走行するときの振動にかかわらず、許容差を吸収しながらクリップを取り付けることができるようになり、また恒久的にトリムをクリップに保持する。
【００９８】
図１２は、３つの最も重要なステップの後の完了された取付作業を示している。
【００９９】
例示として本発明を前記で説明した。もちろん、当業者は、特許請求の範囲で規定された本特許の範囲をそれによって逸脱することなく、本発明のさまざまな他の形態を形成することができる。
【図１】
2012507431.tif 000003
【図２】
2012507431.tif 000004
【図３】
2012507431.tif 000005
【図４】
2012507431.tif 000006
【図５】
2012507431.tif 000007
【図６】
2012507431.tif 000008
【図７】
2012507431.tif 000009
【図８】
2012507431.tif 000010
【図９】
2012507431.tif 000011
【図１０】
2012507431.tif 000012
【図１１】
2012507431.tif 000013
【図１２】
2012507431.tif 000014
【国際調査報告】
2012507431.tif 000015
2012507431.tif 000016
2012507431.tif 000017
2012507431.tif 000018